【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
（ａ）少なくとも０．１の自由体積分率を有するポリマーと、
（ｂ）多孔質芳香族構造体（ＰＡＦ）粒子、多孔質金属酸化物粒子、多孔質金属粒子、及びこれらの組み合わせから選択される多孔質粒子とを含む、混合マトリックス組成物であって、
前記多孔質金属酸化物粒子が、酸化アルミニウム、酸化クロム（ｉｉ）、酸化クロム（ｉｉｉ）、酸化クロム（ｉｖ）、酸化クロム（ｖｉ）、酸化コバルト（ｉｉ）、酸化コバルト（ｉｉ，ｉｉｉ）、酸化コバルト（ｉｉｉ）、酸化銅（ｉ）、酸化銅（ｉｉ）、酸化鉄（ｉｉ）、酸化鉄（ｉｉ，ｉｉｉ）、酸化鉄（ｉｉｉ）、酸化リチウム、酸化マグネシウム、酸化マンガン（ｉｉ）、酸化マンガン（ｉｉｉ）、酸化マンガン（ｉｖ）、酸化マンガン（ｖｉｉ）、酸化ニッケル（ｉｉ）、酸化ニッケル（ｉｉｉ）、二酸化ケイ素、酸化スズ（ｉｉ）、酸化スズ（ｉｖ）、二酸化チタン、酸化亜鉛及びこれらの組み合わせから選択される組成物。
【請求項２】
前記ポリマーが、固有ミクロ多孔性ポリマー（ＰＩＭ）、熱再配置（ＴＲ）ポリマー、多分岐ポリマー、置換ポリアセチレン及びこれらの組合せから選択される、請求項１に記載の組成物。
【請求項３】
前記ポリマーが、ポリ（１−（トリメチルシリル）−１−プロピン）（ＰＴＭＳＰ）、ポリ（１−（ジメチル−ｎ−プロピルシリル）−１−プロピン）、ポリ（１−（ジメチル−ｎ−ブチルシリル）−１−プロピン）、ポリ（１−フェニル−１−プロピン）ポリ（ジフェニルアセチレン）、ポリ（ｔ−ブチルアセチレン）、ポリ（１−フェニル−２−ｐ−トリメチルシリルフェニル−アセチレン）、ポリ（１−フェニル−２−ｐ−ヒドロキシフェニル−アセチレン）、これらのコポリマー、及びこれらの組合せから選択される置換ポリアセチレンである、請求項１に記載の組成物。
【請求項４】
前記多孔質芳香族構造体（ＰＡＦ）粒子が、ＰＡＦ−１（ＰＡＦ−３０２）、ＰＡＦ−３、ＰＡＦ−４、ＰＡＦ−１１（ＰＡＦ−３０４）、ＰＡＦ−３０１、ＰＡＦ−３０３、ＪＵＣ−Ｚ１、ＪＵＣ−Ｚ２、ＰＰＮ−４、ＰＰＮ−５、ＰＰＮ−６−ＳＯ３Ｈ、ＰＰＮ−６−ＳＯ３Ｌｉ、これらの塩、及びこれらの任意の混合物から選択される、請求項１に記載の組成物。
【請求項５】
前記多孔質金属粒子が、多孔質のＣｕ、Ａｇ、Ａｕ、Ｎｉ、Ｐｄ、Ｐｔ及び遷移金属粒子から選択される、請求項１に記載の組成物。
【請求項６】
前記ポリマー又は多孔質粒子の少なくとも１種が、−ＮＨＲ、−Ｎ（Ｒ）２、−ＮＨ２、−ＮＯ２、−ＮＨ（アリール）、ハロゲン化物、アリール、アラルキル、アルケニル、アルキニル、ピリジル、ビピリジル、ターピリジル、アニリノ、−Ｏ（アルキル）、シクロアルキル、シクロアルケニル、シクロアルキニル、スルホンアミド、ヒドロキシル、シアノ、−（ＣＯ）Ｒ、−（ＳＯ２）Ｒ、−（ＣＯ２）Ｒ、−ＳＨ、−Ｓ（アルキル）、−ＳＯ３Ｈ、−ＳＯ３−Ｍ＋、−ＣＯＯＨ、ＣＯＯ−Ｍ＋、−ＰＯ３Ｈ２、−ＰＯ３Ｈ−Ｍ＋、−ＰＯ３２−Ｍ２＋、−ＣＯ２Ｈ、シリル誘導体、ボラン誘導体、フェロセン及び他のメタロセンから選択される１種又は複数の官能基（Ｍは金属原子であり、ＲはＣ１−１０アルキルである）を備える、請求項１に記載の組成物。
【請求項７】
混合マトリックス膜の形態である、請求項１に記載の組成物。
【請求項８】
多孔質支持体の少なくとも一部内に埋め込まれた層の形態である、又は、多孔質支持体の表面の少なくとも一部に置かれた層の形態である、請求項１に記載の組成物。
【請求項９】
流体混合物中のある成分の分離を実施する方法であって、
ある成分を含む流体混合物を準備するステップ；
前記流体混合物を、少なくとも０．１の自由体積分率を有するポリマーと、多孔質粒子とを含む混合マトリックス膜の１つの表面に、接触させるステップ；
前記混合マトリックス膜を横切る駆動力を加えるステップ；及び、
前記混合マトリックス膜の別の表面から、濾過された組成物を単離するステップ；
を含み、
前記多孔質粒子は、
多孔質芳香族構造体（ＰＡＦ）粒子、
酸化アルミニウム、酸化クロム（ｉｉ）、酸化クロム（ｉｉｉ）、酸化クロム（ｉｖ）、酸化クロム（ｖｉ）、酸化コバルト（ｉｉ）、酸化コバルト（ｉｉ，ｉｉｉ）、酸化コバルト（ｉｉｉ）、酸化銅（ｉ）、酸化銅（ｉｉ）、酸化鉄（ｉｉ）、酸化鉄（ｉｉ，ｉｉｉ）、酸化鉄（ｉｉｉ）、酸化リチウム、酸化マグネシウム、酸化マンガン（ｉｉ）、酸化マンガン（ｉｉｉ）、酸化マンガン（ｉｖ）、酸化マンガン（ｖｉｉ）、酸化ニッケル（ｉｉ）、酸化ニッケル（ｉｉｉ）、二酸化ケイ素、酸化スズ（ｉｉ）、酸化スズ（ｉｖ）、二酸化チタン、酸化亜鉛及びこれらの組み合わせから選択される多孔質金属酸化物粒子、
多孔質金属粒子及びこれらの組み合わせから選択され、
ここで、前記濾過された組成物における前記成分の比率が、前記流体混合物中の前記成分の比率とは異なり、こうして、前記流体混合物からの前記成分の分離が実施される、方法。
【請求項１０】
前記ポリマーと粒子とを組み合わせた多孔質特性は、前記ポリマーの自由体積分率が、２５０日までの期間にわたって約１０％を超えて減少しないよう選択される、請求項９に記載の方法。
【請求項１１】
前記液体混合物がガス混合物であり、前記成分がガス成分であり、且つ、前記ガス混合物からの前記ガス成分の分離は、前記ガス成分に対する前記混合マトリックス膜のガス選択性及びガス透過率の、前記ガス混合物の別の成分に対する違いにより生じる、請求項９に記載の方法。
【請求項１２】
前記ガス成分に対する前記混合マトリックス膜の前記ガス透過性が、少なくとも１００日にわたってその初期値から２０％の範囲内に留まる、請求項１１に記載の方法。
【請求項１３】
前記ガス成分に対する前記混合マトリックス膜の前記ガス選択性が、少なくとも１００日にわたってその初期値の約３３％の範囲内に留まる、請求項１１に記載の方法。
【請求項１４】
前記ポリマーが、固有ミクロ多孔性ポリマー（ＰＩＭ）、熱再配置（ＴＲ）ポリマー、多分岐ポリマー、置換ポリアセチレン及びこれらの組合せから選択される、請求項９に記載の方法。
【請求項１５】
前記ポリマーが、ポリ（１−（トリメチルシリル）−１−プロピン）（ＰＴＭＳＰ）、ポリ（１−（ジメチル−ｎ−プロピルシリル）−１−プロピン）、ポリ（１−（ジメチル−ｎ−ブチルシリル）−１−プロピン）、ポリ（１−フェニル−１−プロピン）ポリ（ジフェニルアセチレン）、ポリ（ｔ−ブチルアセチレン）、ポリ（１−フェニル−２−ｐ−トリメチルシリルフェニル−アセチレン）、ポリ（１−フェニル−２−ｐ−ヒドロキシフェニル−アセチレン）、これらのコポリマー、及びこれらの任意の混合物から選択される置換ポリアセチレンである、請求項９に記載の方法。
【請求項１６】
前記多孔質粒子が、ＰＡＦ−１（ＰＡＦ−３０２）、ＰＡＦ−３、ＰＡＦ−４、ＰＡＦ−１１（ＰＡＦ−３０４）、ＰＡＦ−３０１、ＰＡＦ−３０３、ＪＵＣ−Ｚ１、ＪＵＣ−Ｚ２、ＰＰＮ−４、ＰＰＮ−５、ＰＰＮ−６−ＳＯ３Ｈ、これらの塩、及びこれらの任意の混合物から選択される、多孔質芳香族構造体（ＰＡＦ）粒子である、請求項９に記載の方法。
【請求項１７】
前記多孔質金属粒子が、多孔質のＣｕ、Ａｇ、Ａｕ、Ｎｉ、Ｐｄ、Ｐｔ及び遷移金属粒子から選択される、請求項９に記載の方法。
【請求項１８】
低下したエ−ジングを有する混合マトリックス膜を生成する方法であって、
少なくとも０．１の自由体積分率を有するポリマーと多孔質粒子とを組み合わせて混合マトリックス膜を生成するステップを有し、
前記多孔質粒子は、
多孔質芳香族構造体（ＰＡＦ）粒子、
酸化アルミニウム、酸化クロム（ｉｉ）、酸化クロム（ｉｉｉ）、酸化クロム（ｉｖ）、酸化クロム（ｖｉ）、酸化コバルト（ｉｉ）、酸化コバルト（ｉｉ，ｉｉｉ）、酸化コバルト（ｉｉｉ）、酸化銅（ｉ）、酸化銅（ｉｉ）、酸化鉄（ｉｉ）、酸化鉄（ｉｉ，ｉｉｉ）、酸化鉄（ｉｉｉ）、酸化リチウム、酸化マグネシウム、酸化マンガン（ｉｉ）、酸化マンガン（ｉｉｉ）、酸化マンガン（ｉｖ）、酸化マンガン（ｖｉｉ）、酸化ニッケル（ｉｉ）、酸化ニッケル（ｉｉｉ）、二酸化ケイ素、酸化スズ（ｉｉ）、酸化スズ（ｉｖ）、二酸化チタン、酸化亜鉛及びこれらの組み合わせから選択される多孔質金属酸化物粒子、
多孔質金属粒子及びこれらの組み合わせから選択される、方法。
【請求項１９】
前記混合マトリックス膜が、ＰＡＦ粒子を含み、前記ＰＡＦ粒子を含まない前記ポリマーに対して増加したガス透過率を有する、請求項１８に記載の方法。
【手続補正２】
【補正対象書類名】明細書
【補正対象項目名】０１０１
【補正方法】変更
【補正の内容】
【０１０１】
ＰＡＦの非限定的例には、ＰＡＦ−１（ＰＡＦ−３０２としてもまた知られている）、ＰＡＦ−３、ＰＡＦ−４、ＰＡＦ−１１（ＰＡＦ−３０４としてもまた知られている）、ＰＡＦ−３０１、ＰＡＦ−３０３、ＪＵＣ−Ｚ１、ＪＵＣ−Ｚ２、ＰＰＮ−４、ＰＰＮ−５、ＰＰＮ−６−ＳＯ３Ｈ、ＰＰＮ−６−ＳＯ３Ｌｉ、又はこれらの任意の混合物が含まれる。本発明の組成物の範囲内で有用なＰＡＦは、商業的供給源から得られるか、又は、当業者に公知の方法に従って調製されてもよい（例えば、非特許文献２４参照）。